(57)【要約】【課題】シンプルな構造によりライトガイドコネクタが光源ランプからの放射光により高温にならず、部材の熱破損や術者の火傷等が発生する恐れのない内視鏡用光源装置のライトガイド接続機構を提供すること。【解決手段】ライトガイドコネクタ１の最先端部分付近のみを挿入支持するためのライトガイドコネクタ先端支持部３０を設けて、ライトガイドコネクタ先端支持部３０には、光源ランプ１１から放射された照明光Ｌがライトガイドコネクタ１の照明光入射部３以外の部分に当たらないようにライトガイドコネクタ１の最先端部分付近を覆う金属製のカバー部３３と、ライトガイドコネクタ１の最先端部分付近に外接するようにカバー部３３に内挿された断熱部３２とを設けた。【選択図】      図１
2007252676.tif 000002
【特許請求の範囲】
【請求項１】
ロッド状に形成されたライトガイドコネクタが挿脱自在に差し込み接続されて、上記ライトガイドコネクタの端面に配置されたライトガイドの照明光入射部が、光源ランプから放射された照明光の収束位置に位置するように、上記ライトガイドコネクタを位置決め保持する内視鏡用光源装置のライトガイド接続機構において、
上記ライトガイドコネクタの最先端部分付近のみを挿入支持するためのライトガイドコネクタ先端支持部を設けて、上記ライトガイドコネクタ先端支持部には、上記光源ランプから放射された照明光が上記ライトガイドコネクタの照明光入射部以外の部分に当たらないように上記ライトガイドコネクタの最先端部分付近を覆う金属製のカバー部と、上記ライトガイドコネクタの最先端部分付近に外接するように上記カバー部に内挿された断熱部とを設けたことを特徴とする内視鏡用光源装置のライトガイド接続機構。
【請求項２】
上記ライトガイドコネクタ先端支持部が、上記ライトガイドコネクタの基端寄りの部分を保持するライトガイドコネクタ保持部から独立して設けられている請求項１記載の内視鏡用光源装置のライトガイド接続機構。
【請求項３】
上記ライトガイドコネクタ先端支持部が、固定位置を微調整可能に上記光源装置に固定されている請求項２記載の内視鏡用光源装置のライトガイド接続機構。
【発明の詳細な説明】
【技術分野】
【０００１】
この発明は内視鏡用光源装置のライトガイド接続機構に関する。
【背景技術】
【０００２】
内視鏡用光源装置のライトガイド接続機構は一般に、ロッド状に形成されたライトガイドコネクタが挿脱自在に差し込み接続されて、そのライトガイドコネクタの端面に配置されたライトガイドの照明光入射部が、光源ランプから放射された照明光の収束位置に位置するように、ライトガイドコネクタを位置決めする機能を有していて、光源ランプからの放射光が当たって高熱になるライトガイドコネクタから熱を逃がすための放熱部材が併設されている（例えば、特許文献１）。
【特許文献１】特開２００４−５７２２５
【発明の開示】
【発明が解決しようとする課題】
【０００３】
しかし、上述のような従来の内視鏡用光源装置のライトガイド接続機構では、ライトガイドコネクタの先端部分が放熱部材から突出しており、その部分に光源ランプからの放射光が当たってライトガイドコネクタが高熱になる構造である。
【０００４】
したがって、旧来のものと程度の相違はあっても、ライトガイドコネクタが高温になって部材の熱破損や術者の火傷等の恐れがあることに変わりなく、また放熱部は、光源ランプからの放射光を受けてどんどん高温になるライトガイドコネクタの熱を逃がすために表面積の大きなフィンが必要になって、構造が複雑化する欠点があった。
【０００５】
そこで本発明は、シンプルな構造によりライトガイドコネクタが光源ランプからの放射光により高温にならず、部材の熱破損や術者の火傷等が発生する恐れのない内視鏡用光源装置のライトガイド接続機構を提供することを目的とする。
【課題を解決するための手段】
【０００６】
上記の目的を達成するため、本発明の内視鏡用光源装置のライトガイド接続機構は、ロッド状に形成されたライトガイドコネクタが挿脱自在に差し込み接続されて、ライトガイドコネクタの端面に配置されたライトガイドの照明光入射部が、光源ランプから放射された照明光の収束位置に位置するように、ライトガイドコネクタを位置決め保持する内視鏡用光源装置のライトガイド接続機構において、ライトガイドコネクタの最先端部分付近のみを挿入支持するためのライトガイドコネクタ先端支持部を設けて、ライトガイドコネクタ先端支持部には、光源ランプから放射された照明光がライトガイドコネクタの照明光入射部以外の部分に当たらないようにライトガイドコネクタの最先端部分付近を覆う金属製のカバー部と、ライトガイドコネクタの最先端部分付近に外接するようにカバー部に内挿された断熱部とを設けたものである。
【０００７】
なお、ライトガイドコネクタ先端支持部が、ライトガイドコネクタの基端寄りの部分を保持するライトガイドコネクタ保持部から独立して設けられているとよく、ライトガイドコネクタ先端支持部が、固定位置を微調整可能に光源装置に固定されていてもよい。
【発明の効果】
【０００８】
本発明によれば、ライトガイドコネクタの最先端部分付近のみを挿入支持するためのライトガイドコネクタ先端支持部に、光源ランプから放射された照明光がライトガイドコネクタの照明光入射部以外の部分に当たらないようにライトガイドコネクタの最先端部分付近を覆う金属製のカバー部と、ライトガイドコネクタの最先端部分付近に外接するようにカバー部に内挿された断熱部とを設けたことにより、シンプルな構造で、ライトガイドコネクタが光源ランプからの放射光により高温にならず、部材の熱破損や術者の火傷等が発生する恐れがない。
【発明を実施するための最良の形態】
【０００９】
ロッド状に形成されたライトガイドコネクタが挿脱自在に差し込み接続されて、ライトガイドコネクタの端面に配置されたライトガイドの照明光入射部が、光源ランプから放射された照明光の収束位置に位置するように、ライトガイドコネクタを位置決め保持する内視鏡用光源装置のライトガイド接続機構において、ライトガイドコネクタの最先端部分付近のみを挿入支持するためのライトガイドコネクタ先端支持部を設けて、ライトガイドコネクタ先端支持部には、光源ランプから放射された照明光がライトガイドコネクタの照明光入射部以外の部分に当たらないようにライトガイドコネクタの最先端部分付近を覆う金属製のカバー部と、ライトガイドコネクタの最先端部分付近に外接するようにカバー部に内挿された断熱部とを設ける。
【実施例】
【００１０】
図面を参照して本発明の実施例を説明する。
図４は、内視鏡のライトガイドコネクタ１が光源装置１０に接続された状態を略示しており、ライトガイドコネクタ１の端面に配置されたライトガイドファイババンドル２の入射端面２ａが、光源ランプ１１から放射された照明光Ｌの収束位置に位置するように、ライトガイドコネクタ１がライトガイドコネクタ保持部２０とライトガイドコネクタ先端支持部３０とによって位置決め保持されている。３は、ライトガイドファイババンドル２への照明光入射部であり、ライトガイドファイババンドル２の入射端面２ａに面してメニスカスレンズが配置されている。
【００１１】
図１と図２は、光源装置１０に対するライトガイドコネクタ１の接続部を拡大図示しており、図１は光源装置１０にライトガイドコネクタ１が接続された状態、図２は接続されていない状態である。
【００１２】
ライトガイドコネクタ１は真っ直ぐなロッド状に形成されていて、その軸線位置に挿通配置されたライトガイドファイババンドル２の入射端面２ａがライトガイドコネクタ１の先端から少し潜った位置に配置され、ライトガイドファイババンドル２に入射する照明光Ｌの入射角度を小さくして入射効率を高めるメニスカスレンズ（照明光入射部３）が、ライトガイドファイババンドル２の入射端面２ａに面してライトガイドコネクタ１の最先端部分に配置されている。
【００１３】
ライトガイドコネクタ１が挿脱自在に差し込み接続されてライトガイドコネクタ１の基端寄りの部分を保持するライトガイドコネクタ保持部２０には、ライトガイドコネクタ１が緩く挿通される円筒状のライトガイドコネクタ受け筒２１が固定的に配置されている。
【００１４】
ライトガイドコネクタ受け筒２１はライトガイドコネクタ１より短く形成されていて、ライトガイドコネクタ１の先寄りの部分はライトガイドコネクタ受け筒２１を貫通して光源装置１０内に突出する。
【００１５】
ライトガイドコネクタ受け筒２１の外端側の部分には、ライトガイドコネクタ１の外周部に突出形成された鍔状部１ａに係合するＣリング状のクリックバネ２２が取り付けられており、図１に示されるようにライトガイドコネクタ１がライトガイドコネクタ受け筒２１に通されると、クリックバネ２２が鍔状部１ａを外方から弾力的に押圧してライトガイドコネクタ１をライトガイドコネクタ保持部２０にクリック固定する。
【００１６】
そして、ライトガイドコネクタ１をライトガイドコネクタ保持部２０から引き出す方向にある程度以上強い力で引っ張れば、図２に示されるように、クリックバネ２２に対する鍔状部１ａの係合が外れて、ライトガイドコネクタ１がライトガイドコネクタ保持部２０から抜き出される。
【００１７】
光源装置１０内には、ライトガイドコネクタ１の最先端部分付近のみを挿入支持するための熱伝導性のよい金属材からなるライトガイドコネクタ先端支持部３０が、ライトガイドコネクタ保持部２０から独立して、光源装置１０内の固定部（例えば、光源装置１０のフレームに固定されている断熱板）１２にワッシャ３４を挟んでビス１３で固定されている。３１は、ビス１３を通すためにライトガイドコネクタ先端支持部３０の基部に穿設されたビス通し孔である。
【００１８】
ライトガイドコネクタ先端支持部３０には、単体の状態を示す図３にも示されるように、ライトガイドコネクタ１の最先端部分付近が差し込まれる孔がライトガイドコネクタ受け筒２１の軸線の延長線上にあたる位置に形成されていて、その孔に例えばセラミックス等からなる略円筒状の断熱筒体３２（断熱部）が内挿固定されている。
【００１９】
断熱筒体３２の内周面は、ライトガイドコネクタ１の最先端部分が殆どガタつきなく差し込まれる形状寸法に形成されており、図１に示されるように、ライトガイドコネクタ１がクリックバネ２２によってクリック固定された状態では、ライトガイドコネクタ１の最先端部分付近が断熱筒体３２のほぼ全長に差し込まれた状態になる。
【００２０】
そして、断熱筒体３２を囲むライトガイドコネクタ先端支持部３０の金属部分は、光源ランプ１１から放射された照明光Ｌがライトガイドコネクタ１の照明光入射部３以外の部分に当たらないようにライトガイドコネクタ１の最先端部分付近を覆うカバー部３３になっている。したがって、断熱筒体３２はライトガイドコネクタ１の最先端部分付近に外接する状態でカバー部３３に内挿されている、とも言える。
【００２１】
そのような構成により、本発明の内視鏡用光源装置のライトガイド接続機構では、ライトガイドコネクタ１が光源ランプ１１から放射される照明光Ｌにより高温にならず、部材の熱破損や術者の火傷等が発生する恐れがない。
【００２２】
また、ビス通し孔３１がビス１３の径に対して遊びを有する径に形成されており、ワッシャ３４は厚みが違うものと交換したり或いは枚数を増やしたり省いたりすることができる。
【００２３】
したがって、ライトガイドコネクタ先端支持部３０は光源装置１０内の固定部１２に対する固定位置を製造工程において微調整可能であり、その結果、ライトガイドコネクタ１が差し込み接続された時のライトガイドコネクタ１の最先端部分の照明光入射部３の位置をライトガイドコネクタ先端支持部３０だけで微調整して、ライトガイドファイババンドル２への照明光の入射状態を最善の状態に容易にセットすることができる。
【図面の簡単な説明】
【００２４】
【図１】本発明の実施例の内視鏡用光源装置のライトガイド接続機構に内視鏡のライトガイドコネクタが差し込まれた状態の側面断面図である。
【図２】本発明の実施例の内視鏡用光源装置のライトガイド接続機構に内視鏡のライトガイドコネクタが差し込まれていない状態の側面断面図である。
【図３】本発明の実施例のライトガイドコネクタ先端支持部の単体の状態を一部切除して示す斜視図である。
【図４】本発明の実施例の内視鏡用光源装置の側面断面略示図である。
【符号の説明】
【００２５】
１  ライトガイドコネクタ
２  ライトガイドファイババンドル
２ａ  入射端面
３  照明光入射部
１０  光源装置
１１  光源ランプ
１２  固定部
１３  ビス
２０  ライトガイドコネクタ保持部
２１  ライトガイドコネクタ受け筒
２２  クリックバネ
３０  ライトガイドコネクタ先端支持部
３１  ビス通し孔
３２  断熱筒体（断熱部）
３３  カバー部
３４  ワッシャ
Ｌ  照明光
【図１】
2007252676.tif 000003
【図２】
2007252676.tif 000004
【図３】
2007252676.tif 000005
【図４】
2007252676.tif 000006